(57)【要約】【課題】  発泡成形装置の注入ノズル先端に残留、付着した残留発泡液を確実に除去できるようにした残留発泡液除去装置を提供する。【解決手段】  発泡成形装置の注入ノズル先端１０ａに残留、付着した残留発泡液Ｓを除去するための装置であって、少なくとも外周表面４ａが、硬化発泡体Ｓ１の剥離性の高い剥離面として形成されていると共に、注入ノズル先端１０ａに残留、付着した残留発泡液Ｓを、注入ノズル先端１０ａに対する非接触の近接位置で回転することにより外周表面４ａに付着、転移させる拭き取りローラ４と、拭き取りローラ４の外周表面４ａに接触配置され、発泡成形装置の注入ノズル先端１０ａから拭き取りローラ４の外周表面４ａに付着、転移された残留発泡液Ｓの硬化後、硬化発泡体Ｓ１を拭き取りローラ４の回転のもとで外周表面４ａから削ぎ落とすスクレーパ５と、を備えている。【選択図】  図２
2009255311.tif 000002
【特許請求の範囲】
【請求項１】
発泡成形装置の注入ノズル先端に残留、付着した残留発泡液を除去するための装置であって、
少なくとも外周表面が、硬化発泡体の剥離性の高い剥離面として形成されていると共に、前記注入ノズル先端に残留、付着した前記残留発泡液を、前記注入ノズル先端に対する非接触の近接位置で回転駆動手段によって回転することにより前記外周表面に付着、転移させる拭き取りローラと、
前記拭き取りローラの前記外周表面に接触配置され、前記発泡成形装置の前記注入ノズル先端から前記拭き取りローラの前記外周表面に付着、転移された前記残留発泡液の硬化後、前記硬化発泡体を前記拭き取りローラの回転のもとで前記外周表面から削ぎ落とすスクレーパと、
を備えたことを特徴とする残留発泡液除去装置。
【請求項２】
前記拭き取りローラの前記外周表面が、硬質かつ目の細かい樹脂面としてなる請求項１記載の残留発泡液除去装置。
【請求項３】
前記スクレーパが、拭き取りローラに対し前記注入ノズルの設置される位置から前記拭き取りローラの回転方向における上流側で、前記注入ノズルの設置位置にほぼ隣接して配された請求項１または２記載の残留発泡液除去装置。
【請求項４】
前記スクレーパによって削ぎ落とされた前記硬化発泡体を受けるための受け皿が、前記拭き取りローラの下部位置に配された請求項１ないし３のいずれか記載の残留発泡液除去装置。
【請求項５】
前記発泡成形装置に移動可能に設けられ、所定の移動手段の駆動により、前記拭き取りローラを前記注入ノズルの前方に位置させる除去位置と、前記注入ノズルによる注入作業の妨げとならない退去位置との間で移動される請求項１ないし３のいずれか記載の残留発泡液除去装置。
【請求項６】
前記移動手段が、上下方向を移動方向とする昇降駆動手段である請求項５記載の残留発泡液除去装置。
【発明の詳細な説明】
【技術分野】
【０００１】
本発明は、自動車のヘッドレスト、アームレストなどの表皮一体発泡品の製造に利用される注入ノズルの先端に付着した残留発泡液を除去するための残留発泡液装置に関する。
【背景技術】
【０００２】
発泡成形装置によって、自動車のヘッドレストやアームレストなどの表皮一体発泡品を製造するにあたっては、特開２００６−３２７０５９号公報に開示されているように、先ず、フレームが挿入された袋状の表皮を金型にセットする。その後、漏斗の先を表皮内に差し込んだ状態で、注入ノズルから流出する発泡液(ウレタン液)を、漏斗を介して表皮内に圧力充填し、金型内での発泡完了後、漏斗を金型から外して、金型から成形品を取り出している。このように、表皮一体発泡品を製造する場合、注入ノズル先端の開口には残留発泡液が垂れるように残る。
【０００３】
ここで、注入ノズルから流出する発泡液(ウレタン液)は粘性を持ち、かつ注入ノズルからの流出時には反応(発泡)を開始するため、上述のように表皮一体発泡品を製造する場合においては、入りきらなかった発泡液(残留発泡液)が注入ノズル先端に垂れるように残される。これがそのまま硬化すると、漏斗頭部への挿入が困難になると共に、注入ノズル開口の部分的な閉塞により、次回発泡液の注入の妨げのおそれがある。つまり、前述した発泡成形装置においては、発泡液注入の都度（１ショット毎）に注入ノズル先端の残留発泡液を除去／洗浄する必要がある。
【０００４】
ところで、手作業での残留発泡液の除去／洗浄作業は容易ではなく、作業効率が悪い。そこで、溶剤槽に浸されたブラシを注入ノズル先端に自動的に配置し、このブラシの回転駆動により注入ノズル先端の残留発泡液を自動的に洗い落とす自動洗浄装置等が一般的に知られている。
【０００５】
【特許文献１】特開２００６−３２７０５９号公報
【特許文献２】特許第３６５０８６０号公報
【発明の開示】
【発明が解決しようとする課題】
【０００６】
しかしながら、このような洗浄に用いられる溶剤の漏出や飛散等は、作業現場の環境を悪化させるおそれがあるため、溶剤の使用自体が好ましくない。そして、ブラシの隙間（特に毛の根元）等に入り込んだ残留発泡液が硬化すると、ブラシとして機能しにくくなると共に、ブラシを注入ノズル先端に押し付けて駆動させることから、ブラシの毛が寝やすく、この点からもブラシの使用は機能的に問題があり、残留発泡液の除去作業にムラを発生させる虞がある。
【０００７】
本発明は、溶剤を使用せず、かつ注入ノズル先端から残留発泡液を確実に除去できるようにした残留発泡液除去装置を提供することを目的とする。
【課題を解決するための手段】
【０００８】
本発明に係る残留発泡液除去装置は、発泡成形装置の注入ノズル先端に残留、付着した残留発泡液を除去するための装置であって、
少なくとも外周表面が、硬化発泡体の剥離性の高い剥離面として形成されていると共に、注入ノズル先端に残留、付着した残留発泡液を、注入ノズル先端に対する非接触の近接位置で回転駆動手段によって回転することにより外周表面に付着、転移させる拭き取りローラと、
拭き取りローラの外周表面に接触配置され、発泡成形装置の注入ノズル先端から拭き取りローラの外周表面に付着、転移された残留発泡液の硬化後、硬化発泡体を拭き取りローラの回転のもとで外周表面から削ぎ落とすスクレーパと、を備えたことを特徴とする構成である。
【０００９】
この残留発泡液除去装置においては、回転している拭き取りローラの外周表面に注入ノズル先端を非接触状態で近接させる。すると、注入ノズル先端に残留、付着した残留発泡液が、拭き取りローラの外周表面に付着、転移されながら除去される。この作業を、残留発泡液が硬化する前に行うと、注入ノズル先端を痛めることなく、残留発泡液を、拭き取るように注入ノズル先端からスムーズに除去することができる。さらに、拭き取りローラの外周表面に付着、転移された残留発泡液は、液体から固体に硬化して硬化発泡体になるので、この硬化発泡体は、スクレーパの先端によって削ぎ取られるようにして拭き取りローラの外周表面から取り除かれる。
【発明の効果】
【００１０】
本発明によれば、注入ノズル先端から残留発泡液を確実に除去でき、しかも、溶剤を使用しないため、作業現場の環境悪化が防止できる。加えて、ブラシを使用しないため、作業の確実性が向上する。
【００１１】
また、注入ノズルに対し拭き取りローラが非接触であるため、注入ノズル、ローラのいずれにも磨耗が生じない。そして、残留発泡液が注入ノズル先端の開口から中に入り込み難く、注入ノズルの開口に残留発泡液や硬化発泡体が残存し難く、注入開始時に新たな発泡液に硬化発泡体が混って成形品の品質を低下させる事態が回避される。
【発明を実施するための最良の形態】
【００１２】
以下、図面を参照しつつ本発明に係る発泡液注入ノズルの残留発泡液除去装置の好適な実施形態について詳細に説明する。
【００１３】
図１及び図２に示すように、残留発泡液除去装置１は、ベース板２上に固定されたモータ３などの回転駆動手段によって回転する拭き取りローラ４を備え、この拭き取りローラ４は、モータ３の回転軸３ａに固定されている。
【００１４】
この拭き取りローラ４は、注入ノズル１０の先端１０ａに対する非接触の近接位置でモータ３により回転し、注入ノズル先端１０ａの開口に残留、付着した残留発泡液Ｓは拭き取りローラ４の外周表面４ａに付着、転移される。なお、この拭き取りローラ４の回転速度を、たとえば２秒で１／４回転程度と比較的遅くすることにより、注入ノズル先端１０ａから拭き取りローラ４への残留発泡液の付着、転移が十分に可能となる。
【００１５】
この拭き取りローラ４の外周表面４ａは、残留発泡液(ウレタン液)Ｓが硬化した状態の硬化発泡体Ｓ１の剥離性能が高いＰＰ(ポリプロピレン)、ＰＥ(ポリエチレン)などの熱可塑性樹脂によって剥離面として形成され、これら材質は、拭き取りローラ４の外周表面４ａを、硬質かつ目の細かい樹脂面として形成させている。
【００１６】
この拭き取りローラ４は、これ自体が前述された樹脂で形成されていても、円柱状の金属芯の周囲に前述した樹脂が一体成形されたものであってもよい。
【００１７】
さらに、残留発泡液除去装置１は、拭き取りローラ４の外周表面４ａに接触する先端５ａをもったスクレーパ５を備えている。
【００１８】
このスクレーパ５は、ベース板２に脚部６を介して固定されると共に、拭き取りローラ４に対し注入ノズル１０の設置される位置から拭き取りローラ４の回転方向における上流側で、注入ノズル１０の設置位置にほぼ隣接して配されている。
【００１９】
スクレーパ５は、発泡成形装置の注入ノズル先端１０ａから拭き取りローラ４の外周表面４ａに付着、転移された残留発泡液Ｓの硬化後、硬化発泡体Ｓ１を拭き取りローラ４の回転のもとで外周表面４ａから削ぎ落とすように機能する。
【００２０】
さらに、スクレーパ５は、作業者の安全を確保するための保護カバー７によって覆われ、保護カバー７は、ベース板２に固定されている。
【００２１】
スクレーパ５の先端５ａの真下及び拭き取りローラ４の下部位置には、スクレーパ５によって削ぎ落とされた硬化発泡体Ｓ１を受け入れるための受け皿８が配置され、この受け皿８は、ベース板２上に着脱自在に設置されている。
【００２２】
発泡成形装置には、残留発泡液除去装置１を金型と注入ノズル１０との間で上下方向（図１の矢印Ａ方向）に移動させることができる昇降駆動手段（移動手段）が設けられている。この昇降移動手段をなすピストンシリンダ機構１２のピストンの先端は、ベース板２に固定され、ベース板２を昇降させるように発泡成形装置に取り付けられている。なお、昇降駆動手段は、ラックピニオン機構などであってもよい。
【００２３】
この昇降駆動手段１２により、拭き取りローラ４は、注入ノズル１０の前方に位置させる除去位置と、注入ノズル１０による注入作業の妨げとならない退去位置との間で上下方向に移動する。
【００２４】
次に、残留発泡液除去装置１の動作について説明する。
【００２５】
発泡成型装置の金型内にセットされた表皮内に漏斗の先を差し込んだ状態で、注入ノズル１０から流出する発泡液(ウレタン液)を、漏斗を介して表皮内に圧力充填する。充填完了後すなわち１ショット後、漏斗から引き抜くように注入ノズル１０を後退させる。
【００２６】
このとき、注入ノズル先端１０ａには残留発泡液Ｓが残留、付着しているので、昇降駆動手段１２により、残留発泡液除去装置１を上昇させて、拭き取りローラ４の外周表面４ａに接近させる。その後、モータ３を始動させて、拭き取りローラ４を一方向に回転させる。
【００２７】
すると、注入ノズル先端１０ａに残留、付着した残留発泡液Ｓが、拭き取りローラ４の外周表面４ａに付着しながら拭き取るように除去される。この作業は、拭き取りローラ４に接触することなく、残留発泡液Ｓが注入ノズル先端１０ａで硬化する前に行われるので、注入ノズル先端１０ａが痛められることがなく、残留発泡液Ｓを、拭き取るように注入ノズル先端１０ａからスムーズに除去することができる。
【００２８】
さらに、拭き取りローラ４の外周表面４ａに残留、付着した残留発泡液Ｓは、液体から固体に硬化して硬化発泡体Ｓ１になるので、この硬化発泡体Ｓ１はスクレーパ５の先端５ａによって削ぎ取られるようにして拭き取りローラ４の外周表面４ａから取り除かれる。そして、削ぎ取られた硬化発泡体Ｓ１は、受け皿８内に落下する。
【００２９】
このような一連の作業の後、昇降駆動手段１２により、残留発泡液除去装置１を降下させて、注入ノズル１０による新たな注入作業の妨げとならない位置まで残留発泡液除去装置１を退去させる。
【００３０】
このような構成の残留発泡液除去装置１では、注入ノズル先端１０ａから残留発泡液Ｓを確実に除去できるし、溶剤を使用しないため作業現場の環境悪化も防止できる。加えて、ブラシを使用しないため残留発泡液除去作業の確実性が向上する。また、注入ノズル１０に対し拭き取りローラ４が非接触であるため、注入ノズル１０、ローラ４のいずれにも磨耗が生じない。
【００３１】
そして、残留発泡液Ｓが注入ノズル先端１０ａの開口から中に入り込み難く、注入ノズル先端１０ａの開口に残留発泡液Ｓや硬化発泡体Ｓ１が残存し難く、注入開始時の新たな発泡液に、硬化発泡体Ｓ１が混って成形品の品質を低下させる事態が回避される。
【００３２】
本発明は、前述した実施形態に限定されるものではない。例えば、拭き取りローラ４は、樹脂でなくとも金属であってもよい。また、残留発泡液除去装置１の移動手段は、装置１を昇降させる場合に限らず、水平方向に移動させるものであってもよい。
【図面の簡単な説明】
【００３３】
【図１】本発明に係る発泡液注入ノズルの残留発泡液除去装置の一実施形態を示す斜視図である。
【図２】図１に示された残留発泡液除去装置の要部拡大平面図である。
【符号の説明】
【００３４】
１…残留発泡液除去装置、３…回転駆動手段たるモータ  ４…拭き取りローラ、４ａ…拭き取りローラの外周表面、５…スクレーパ、５ａ…スクレーパの先端、１０…注入ノズル、１０ａ…注入ノズル先端、１２…昇降駆動手段（移動手段）、Ｓ…残留発泡液、Ｓ１…硬化発泡体。
【図２】
2009255311.tif 000003
【図１】
2009255311.tif 000004